(57)【特許請求の範囲】
【請求項１】
基台と、該基台上の周囲に立設される複数の側壁とを備え、
前記基台と前記側壁、及び、隣接する前記各側壁は相互に接合部にてそれぞれ着脱可能に接合されると共に、各接合部は、相互に接合される前記基台と側壁又は前記隣接する各側壁のうちの一方に設けられた係合溝と、他方に設けられた回動軸に回動自在に保持された接合部材とから構成され、
前記係合溝は略クランク形状を呈すると共に、前記回動軸には、前記接合部材を前記係合溝の奥方向に付勢するための付勢部材を設けたことを特徴とする棚装置。
【請求項２】
前記側壁は前記基台上に積層可能な寸法であると共に、積層した前記側壁の周縁部に前記基台の係合部を係合可能とし、前記側壁の四隅に前記基台の前記係合部を位置決めする位置決め片を設けたことを特徴とする請求項１の棚装置。
【発明の詳細な説明】
【０００１】
【発明の属する技術分野】
本発明は、棚を複数段重ねられると共に、棚を分解した後重ねて輸送することができる棚装置に関するものである。
【０００２】
【従来の技術】
従来のこの種棚装置は、例えば本出願人が先に出願した実願２０００−００１４９７号（Ｂ６５Ｄ１９／０８）に示されている。この棚装置は基台と、この基台の底壁周囲に立設された側壁とで構成されている。係る基台四隅近傍には係合部が設けられており、この係合部は側壁上端に係合可能に構成されると共に前後の側壁近傍内側に位置して基台四隅近傍の下方に向けて拡開しながら突出している。
【０００３】
また、基台は周囲上面が立ち上がったＬ字状の金属の枠を設け、この枠の内側全面に渡って一枚の板状の金属パネルからなる底壁が溶接固定されていた。そして、基台周囲の立ち上がり部分を縦壁とし、この縦壁内側に側壁が立設され、縦壁と側壁下部及び隣接する各側壁がボルトで固定され、ポリエチレン袋、或いは、ビニール袋などに入れられた魚介類、果実或いは野菜などの生鮮食料品が直接棚装置内に収納された後、棚装置がコンテナに収納され輸送されていた。
【０００４】
そして、生鮮食料品を輸送後、棚装置は固定しているボルトが外されて分解され、基台上に外した側壁を重ね外したボルトを添えて返却していた。また、側壁は、金属パネルに複数のハット型の補強部材と複数のＺ型の補強部材とを略平行に溶接固定し、これら補強部材とハット型の補強部材の略中央部に直交する向きにＺ型の補強部材を溶接固定していた。
【０００５】
【発明が解決しようとする課題】
しかしながら、基台四隅近傍の下方に拡開しながら突出する係合部は、基台下側にフォークリフトの爪を挿入して棚装置をコンテナに積載するため、基台より所定距離下方に延在させてから拡開させていた。この場合係合部は、複数枚の金属板を溶接して基台から下方に延在して拡開する係合部を形成していたので、各金属板の切断と溶接に多大な手間がかかってしまう問題があった。
【０００６】
また、側壁は金属パネルに複数のＺ型の補強部材と複数のハット型の補強部材とを略平行に溶接固定すると共に、これらＺ型の補強部材とハット型の補強部材の略中央部に直交する向きにＺ型の補強部材を溶接固定していたが、Ｚ型の補強部材は箱形でないため容易に折り曲がってしまう。このため、棚装置に生鮮食料品を収納すると生鮮食料品の重さによって側壁が変形し膨らんでしまう問題があった。
【０００７】
また、生鮮食料品を輸送後多数の棚装置はボルトを外して分解した後、基台上に側壁を積み重ねてコンテナに収納し返却していた。また、多数の棚装置を分解したボルトはまとめて所定の容器に入れ、分解した棚装置を収納したコンテナと共に返却していた。このボルトは棚装置から外し容器に入れて返却しているためどうしてもボルトを紛失してしまう問題があった。このため、ボルトが不足して棚装置を組み立てられない問題もあった。
【０００８】
また、基台はＬ字状の金属枠の内側全面に渡って一枚の板状の金属パネルからなる底壁が溶接固定していたが、Ｌ字状の金属の枠と底壁との溶接部分には段差があり、この段差は側壁の内側に位置していた。このため、棚装置に収納された魚介類、果実或いは野菜などの生鮮食料品が入れられたポリエチレン袋、或いは、ビニール袋は、輸送の振動による段差との摩擦によって切れてしまう問題があった。
【０００９】
本発明は、係る従来技術の課題を解決するために成されたものであり、簡単な構成で分解組み立てを行なうことができ、且つ、側壁の変形し難い棚装置を提供することを目的とする。
【００１０】
【課題を解決するための手段】
即ち、本発明の棚装置は、基台と、該基台上の周囲に立設される複数の側壁とを備え、基台と側壁、及び、隣接する各側壁は相互に接合部にてそれぞれ着脱可能に接合されると共に、各接合部は、相互に接合される基台と側壁又は隣接する各側壁のうちの一方に設けられた係合溝と、他方に設けられた回動軸に回動自在に保持された接合部材とから構成され、係合溝は略クランク形状を呈すると共に、回動軸には、接合部材を係合溝の奥方向に付勢するための付勢部材を設けたことを特徴とする。
【００１１】
また、請求項２の棚装置は、上記に加えて、側壁は基台上に積層可能な寸法であると共に、積層した側壁の周縁部に基台の係合部を係合可能とし、側壁の四隅に基台の係合部を位置決めする位置決め片を設けたことを特徴とする。
【００１２】
【発明の実施の形態】
次に、図面に基づき本発明の実施形態を詳述する。図１は段重ねした本発明の棚装置１０の側面図、図２は本発明の棚装置１０を構成する基台１１の斜視図、図３は同基台１１の上面図、図４は基台１１の下方に向けて突出させた係合部１８を側壁２２上端に係合させた状態を示す図、図５は分解した棚装置１０を複数段重ねた状態を示す図をそれぞれ示している。
【００１３】
棚装置１０は容易に腐食することのない金属板にて構成されており、この棚装置１０は基台１１と基台１１上の周囲に立設される複数の側壁２２とから構成されている。基台１１は所定の厚さのステンレスなどの金属板の一枚のパネル周囲が略直角に一側（この場合上方）に折り曲げられることにより、周囲に縦壁１３が立設されている。基台１１は周囲の縦壁１３内側を底壁１２として、幅約１０２５ｍｍ、奥行き約９９５ｍｍの大きさに形成されている（図２、図３）。
【００１４】
一方、基台１１と側壁２２、及び、隣接する各側壁２２は相互に接合部にてそれぞれ着脱可能に接合される。接合部は、相互に接合される基台１１と側壁２２又は隣接する各側壁２２のうちの一方に設けられた後述する係合溝１４Ａ、２８Ａと、他方に設けられ後述する回動軸３２に回動自在に保持された接合部材３０とから構成されている。
【００１５】
縦壁１３は底壁１２（基台１１）の周囲外縁に位置して所定の高さ（この場合、後述する側壁２２縁部２６の厚さと略同等の高さ）に形成されている。この縦壁１３は、側壁２２の下端を基台１１の内側より挿入することにより、縦壁１３内側に容易に側壁２２の下端が当接できるように構成されている。各縦壁１３の長手方向略中央には縦長略矩形状の係合板１４（この場合、係合板１４は後述する側壁２２に設けられた接合部材３０に対応した位置に設けられている）が設けられている。この係合板１４は、縦壁１３の長手方向に延在すると共に、縦壁１３の折り曲げ高さ幅より少許幅広で、縦壁１３より厚いステンレスなどの金属板にて縦壁１３に溶接固定されている。
【００１６】
前記係合板１４には係合溝１４Ａが設けられており、この係合溝１４Ａには後述する側壁２２の下端に設けられた接合部を構成するボルト３３が係合される。係合溝１４Ａは係合板１４の上方からボルト３３の直径より少許幅広に下方に向かって略中央部まで切り欠かれ、そこで略直角に折れ曲がって底壁１２と略水平に所定寸法（この場合ボルト３３径乃至ボルト３３径の２〜３倍の寸法）切り欠かれている。即ち、係合溝１４Ａは係合板１４が略クランク形状に切り欠かれて上方を開口し、この開口から係合溝１４Ａ内に側壁２２の下端に設けられたボルト３３がクランク形状に沿って挿入できるように構成されている。
【００１７】
また、基台１１（底壁１２）の下面には第１の補強部材としてハット型大補強部材１５が設けられており、このハット型大補強部材１５はプレスなどによって底壁１２と同等のステンレス板が屈曲されて、断面略帽子形状（ハット型）に形成されている（図１２）。このハット型大補強部材１５には左右に延在する曲げ片１５Ａ、１５Ａ（帽子の鍔に当たる部分）が設けられており、この曲げ片１５Ａ、１５Ａが底壁１２下面に溶接されることにより、基台１１の下面にハット型大補強部材１５が固定され、底壁１２の変形強度を向上させている。
【００１８】
該ハット型大補強部材１５は、棚装置１０を分解して重ねた際、後述する側壁２２のパネル２３Ａに当接しない高さにて基台１１の下方に突出しており、このハット型大補強部材１５の両曲げ片１５Ａ、１５Ａ間は図示しないがフォークリフトの爪を容易に挿入可能な高さと幅にて構成されている。そして、両ハット型大補強部材１５、１５のそれぞれの両曲げ片１５Ａ、１５Ａ間にフォークリフトの爪が挿入され持ち上げられることにより、棚装置１０は移動できるように構成されている。
【００１９】
また、基台１１の下面にはハット型大補強部材１５の略中央部に直交する向きに第２の補強部材としてハット型補助部材１６が設けられると共に、このハット型補助部材１６は基台１１の前後方向を略４等分する間隔で３箇所設けられている。該ハット型補助部材１６はハット型大補強部材１５同様断面略帽子形状（ハット型）に屈曲されると共に、ハット型補助部材１６はハット型大補強部材１５の約１／２程度の高さで、左右に延在して設けられた両曲げ片１６Ａ、１６Ａ間はハット型大補強部材１５の約１／４程度の幅に構成されている。
【００２０】
ハット型補助部材１６はハット型大補強部材１５を介して基台１１下面の一側から他側まで略一直線に設けられており、ハット型補助部材１６の曲げ片１６Ａ、１６Ａは底壁１２下面に溶接され、長手方向端部はハット型大補強部材１５に溶接固定されている。この場合、ハット型補助部材１６を箱形に溶接固定しているので従来のＺ型の補強部材より曲げ強度を大幅に向上させることができる。これにより、底壁１２の撓み強度を大幅に向上させられるので、基台１１に従来より薄い底壁１２を使用しても底壁１２は変形し難くなる。従って、基台１１に従来より薄い底壁１２を使用した棚装置１０内に生鮮食料品などを収納した場合、基台１１の底壁１２は収納された生鮮食料品の重量で変形することもなく、棚装置１０のコストの低減を図ることが可能となる。
【００２１】
また、基台１１の下側４隅には係合部１８が設けられており、この係合部１８は基台１１前後に延在して設けられた縦壁１３内側に固定される側壁２２の上端に対応した位置に設けられている。係合部１８は下方に向けて拡開しながら突出する係合部材２０と、この係合部材２０と基台１１間に位置するスペーサ１９とから構成されている。スペーサ１９は所定の長さの金属パイプにて構成されており、このスペーサ１９の一側は基台１１に溶接固定されると共に他側は係合部材２０に溶接固定される。尚、基台１１に設けられた各係合部１８はそれぞれ前後側壁２３の僅か内側に位置している。また、スペーサ１９（パイプ）は板材を溶接した角柱より座屈し難いのは従来より知られている。
【００２２】
係合部材２０はスペーサ１９下端部から下方に向けて拡開しながら延在しており、この係合部材２０の拡開間が側壁２２上端に係合される。係合部１８は図示しないが基台１１を構成する底壁１２と同等のステンレス板が下方に向けて拡開する形状で前後に所定の間隔を存して設けられ、その前後間の周囲をこれもまた基台１１を構成する底壁１２と同等のステンレス板で覆い、それらが溶接固定されている。該係合部材２０は拡開した両下端部を接地部２０Ａ、２０Ａとしており、この接地部２０Ａ、２０Ａによって棚装置１０は地面或いは床面に接地される。両接地部２０Ａ、２０Ａ間には凹所２０Ｂが設けられており、これによって係合部材２０は正面略ハ字形状に形成されている。
【００２３】
係合部材２０に形成された凹所２０Ｂの深さは、側壁２２の厚さより僅か小さい寸法に形成されており、棚装置１０を分解して重ねた際（棚装置１０を分解して重ねる場合は、凹所２０Ｂ内に、側壁２２周囲に設けられた縁部２６が挿入される）、側壁２２のパネル２３Ａに接地部２０Ａが当接しない寸法にて構成されている。即ち、棚装置１０を段重ねする場合、係合部材２０の凹所２０Ｂ内に側壁２２の上端が係合されると共に、棚装置１０を分解して重ねる場合は、水平に積層された側壁２２周囲の周縁部（縁部２６）が凹所２０Ｂ内に挿入される。この状態で、係合部材２０の凹所２０Ｂ一側の接地部２０Ａは側壁２２のパネル２３Ａに当接しないように構成されている。
【００２４】
他方、側壁２２は、棚装置１０の前後両面に設けられた前後側壁２３、２３と、棚装置１０の左右両面に設けられた左右側壁２９、２９とから構成されている。図６は前後側壁２３で、図中２３Ａはステンレスなどの金属パネルで所定の厚さを呈している。前後側壁２３には第１の補強部材として前述のハット型補助部材１６と略同等のハット型小補強部材２４が設けられており、このハット型小補強部材２４は前後側壁２３の上下方向に延在して設けられている。該ハット型小補強部材２４は前後側壁２３の左右方向を略４等分する間隔で３箇所設けられると共に、ハット型小補強部材２４の両側の曲げ片２４Ａ、２４Ａはパネル２３Ａに溶接されている。
【００２５】
また、前後側壁２３に設けられたハット型小補強部材２４の略中央部に直交する向きに第２の補強部材としてハット型補助部材２５が設けられている。このハット型補助部材２５は前述のハット型補助部材１６と略同等に構成されると共に、前後側壁２３の前面一側からハット型小補強部材２４を介して他側まで略一直線上に設けられている。該ハット型補助部材２５はハット型小補強部材２４に位置する部分が切り欠かれて曲げ片２５Ａ、２５Ａが底壁１２下面に当接され溶接固定されると共に、ハット型小補強部材２４側に位置するハット型補助部材２５が切り欠かれた箇所はハット型小補強部材２４に溶接固定される。
【００２６】
この場合も、ハット型補助部材２５は箱形に溶接固定されるので従来のＺ型の補強部材より曲げ強度を大幅に向上させることができる。これにより、パネル２３Ａの撓み強度を大幅に向上させられるので、前後側壁２３に従来より薄いパネル２３Ａを使用してもパネル２３Ａの変形を防止できるようになる。従って、棚装置１０内に生鮮食料品などを収納した場合でも、前後側壁２３のパネル２３Ａは収納された生鮮食料品の重量で変形することもないので、棚装置１０のコストの削減を図ることが可能となる。
【００２７】
パネル２３Ａの周縁部は、ハット型小補強部材２４の取り付け面側に屈曲されて、断面略コ字形状の縁部２６が形成されると共に、縁部２６はハット型小補強部材２４端部を覆いハット型小補強部材２４に溶接固定されている。この前後側壁２３は、前後側壁２３を略水平にした状態で、縁部２６を上にして基台１１上面周囲に設けられた縦壁１３の内側に重ねることができる大きさを呈している。そして、積層された前後側壁２３の縁部２６には、基台１１の係合部１８に形成された凹所２０Ｂが係合されるように構成されている。
【００２８】
また、前後側壁２３の四隅には位置決め片２７が設けられており、この位置決め片２７はステンレスなどの金属板で所定の厚さの三角形状を呈している。該位置決め片２７は、縁部２６の縁に沿って設けられると共に、パネル２３Ａに溶接固定されたハット型小補強部材２４の離間側に溶接固定されている。この場合、位置決め片２７は、前後側壁２３の縁部２６に基台１１の係合部１８が係合された状態で、係合部１８（係合部材２０）が前後側壁２３の前後向或いは左右方向に動かないようにできる位置に溶接固定されている。
【００２９】
また、側壁２２のうちの一方である前後側壁２３の左右で上下に延在する両縁部２６、２６の上端近傍には、パネル２３Ａに平行に上下方向に延在する係合溝２８Ａが設けられている（図８）。係合溝２８Ａは前後側壁２３の両縁部２６、２６内に溶接固定された縦長略矩形状の固定部材２８に設けられている。固定部材２８はステンレスなどの金属にて構成されており、係合溝２８Ａは、固定部材２８の長手方向一側から他側に向かって彫り込まれて、固定部材２８の長手方向一側を開口している。この係合溝２８Ａは、開口から後述するボルト３３を挿入可能な大きさを呈している。尚、前後側壁２３の縁部２６は所定の形状で切り欠いた切欠部２６Ａが設けられており、この切欠部２６Ａより係合溝２８Ａ内にボルト３３を挿入できるように構成している。
【００３０】
また、前後側壁２３の下方に設けられ、左右に延在する縁部２６の略中央部近傍には接合部材３０が設けられており、この接合部材３０は基台１１に設けられた係合溝１４Ａに対応した位置に設けられている（図９）。この接合部材３０は、中央に設けられたハット型小補強部材２４とその左側に設けられたハット型小補強部材２４との間（この場合、接合部材３０は中央に設けられたハット型小補強部材２４と、右側に設けられたハット型小補強部材２４との間、或いは、中央に設けられたハット型小補強部材２４と左右に設けられたハット型小補強部材２４、２４との間の両側に設けても差し支えない）に設けられている。該接合部材３０は、一対の保持部材３１、３１と、この保持部材３１、３１間に設けられ両端が保持部材３１、３１に固定された円柱形の回動軸３２と、この回動軸３２に回動自在に設けられ、左右側壁２９と前後側壁２３とを接合するボルト３３とから構成されている。
【００３１】
両保持部材３１、３１は係合溝２８Ａが設けられた固定部材２８と略同等に構成され、前後側壁２３の縁部２６内に溶接固定されている。また、ボルト３３は所定の長さを呈し、一方にループ３３Ａ形成され、他方にナット３４が螺合されている。このループ３３Ａが両保持部材３１、３１に設けられた回動軸３２周囲に回動自在に設けられている。回動軸３２に回動自在に設けられたボルト３３の一側には、ボルト３３を回動軸３２の一側に付勢する付勢部材（この場合コイルバネ）３５が設けられており、この付勢部材３５によってボルト３３は常時回動軸３２の一側に付勢されている。
【００３２】
他方、図７に側壁２２のうちの他方である左右側壁２９を示している。この左右側壁２９には前述同等の接合部材３０が設けられており、接合部材３０は左右側壁２９の両縁部２６、２６の上端近傍に設けられている。この左右側壁２９に設けられた接合部材３０は、前後側壁２３に設けられた係合溝２８Ａと対応する位置に設けられている。他は前後側壁２３同等に構成されている。即ち、左右側壁２９は前後側壁２３に設けた係合溝２８Ａの代わりに接合部材３０が設けられ、左右側壁２９と前後側壁２３とを接合できるように構成されている。尚、側壁２２に設けた係合溝１４Ａ、２８Ａ及び接合部材３０取り付け箇所は図示しないが縁部２６を切り欠いて設けているので強度が弱くなるため、その切り欠き周囲を変形しないように厚い板で補強している。
【００３３】
以上の構成で次に棚装置１０の組み立てを説明する。尚、ボルト３３の先端部分には予めナット３４が螺合され、図示しないがそれ以上は外れないようにストッパーが設けられているのとする。まず、基台１１の左右の縦壁１３内側から左右側壁２９の下端縁部２６を当接（この場合、左右側壁２９の下側に設けた接合部材３０を縦壁１３側面に設けた係合溝１４Ａに合わせる）させた後、前後の縦壁１３内側に前後側壁２３の下端縁部２６を当接（この場合、前後側壁２３に設けた接合部材３０を縦壁１３側面に設けた係合溝１４Ａに合わせる）させる。
【００３４】
そして、左右側壁２９の内側に前後側壁２３が当接された後、左右側壁２９の両縁部２６、２６に設けられた接合部材３０のボルト３３が回動され、ボルト３３が前後側壁２３の両縁部２６、２６に設けられた係合溝２８Ａ、２８Ａの奥まで挿入される。このとき、ボルト３３は付勢部材３５で係合溝２８Ａの奥側に付勢されているので、ボルト３３を一旦係合溝２８Ａの手前側に移動させてから、係合溝２８Ａ内に挿入されてナット３４が螺合され締め付けられる。これにより、左右側壁２９の内側に前後側壁２３が固定される（図１０）。
【００３５】
次に、各側壁２２下方に設けられた接合部材３０のボルト３３が回動された後、ボルト３３は基台１１の縦壁１３に設けられたクランク形状の各係合溝１４Ａに沿って奥までそれぞれ挿入される。このときも、ボルト３３は付勢部材３５で係合溝２８Ａの奥側に付勢されているので、ボルト３３を一旦係合溝１４Ａの手前側に移動させてから、係合溝２８Ａ内に挿入した後ナット３４が螺合され締め付けられる（図１１）。これにより、各側壁２２下方は基台１１の縦壁１３に固定され、棚装置１０の組み立てを完成する。
【００３６】
そして、完成した棚装置１０と棚装置１０とを段重ねる場合、下側の棚装置１０の側壁２２（左右側壁２９）上に、段重ねする棚装置１０（基台１１）の下側に設けられた係合部１８の凹所２０Ｂが係合される。この場合、凹所２０Ｂの両側に接地部２０Ａが設けられているので、棚装置１０は左右に動くことなく上下の棚装置１０、１０は重ねられる。
【００３７】
また、基台１１の下側に設けられた各係合部１８は、それぞれ前後側壁２３の僅か内側に位置しているので、前後側壁２３によって前側の係合部１８の接地部２０Ａが前側に移動してしまうのが阻止され、棚装置１０はそれ以上前側に移動しなくなると共に、後側の前後側壁２３によって後側の係合部１８の接地部２０Ａはそれ以上後側に移動しなくなる。これにより、段重ねされた棚装置１０は前後左右に移動してしまうのが防止され、生鮮食料品などの物品が収納された棚装置１０を重ねて輸送しても、段重ねした棚装置１０がずれたり落ちてしまうなどの不都合を未然に防止することが可能となる。
【００３８】
また、生鮮食料品などの物品を輸送後、空になった棚装置１０は螺合された各ボルト３３のナット３４が緩められ、基台１１から側壁（前後側壁２３、左右側壁２９）２２が分解された後、基台１１上に積層される。この時、積層された最上段の側壁２２のパネル２３Ａを下側にハット型小補強部材２４を上に位置させて、その上に分解した２台目の棚装置１０の基台１１が重ねられる。この場合、基台１１に設けられた係合部１８の接地部２０Ａは、側壁２２の縁部２６と両位置決め片２７間に位置させることとなるので、基台１１は側壁２２上で動くことなく、分解した棚装置１０を重ねることができる。また、係合部１８の接地部２０Ａを側壁２２縁部２６の厚さより僅か小さい寸法としているので、接地部２０Ａによってパネル２３Ａの変形を防止でき、分解した棚装置１０を複数段重ねることが可能となる（図５）。
【００３９】
このように、基台１１と側壁２２、及び、隣接する各側壁２２は相互に接合部にてそれぞれ着脱可能に接合し、各接合部は、相互に接合される基台１１と側壁２２又は隣接する各側壁２２のうちの一方に設けられた係合溝１４Ａ、２８Ａと、他方に設けられた回動軸３２に回動自在に保持された接合部材３０とで構成している。これにより、接合部材３０を基台１１及び側壁２２に取り付けたまま外さなくても、棚装置１０の分解組み立てを行なうことが可能となる。従って、例えば従来のように取り外した接合部材を格別に設けた容器に収納して基台１１及び側壁２２などと一緒に輸送しなければならない煩わしさを解消することができるようになる。
【００４０】
また、接合部材３０を構成する回動軸３２に、ボルト３３を係合溝１４Ａ、２８Ａの奥方向に付勢するための付勢部材３５を設けているので、常時ボルト３３を係合溝１４Ａ、２８Ａの奥方向に付勢しておくことが可能となる。これにより、接合部材３０が例えば確実に固定されていないような場合でも、係合溝１４Ａ、２８Ａからボルト３３が外れてしまう不都合を未然に阻止することができるようになる。
【００４１】
また、係合溝１４Ａを略クランク形状に形成しているので、棚装置１０の側面からボルト３３を係合溝１４Ａに係合させることが可能となる。これにより、例えば、基台１１の下側、或いは、側壁２２に接近してボルト３３にナット３４を螺合させなくても、棚装置１０の側面からナット３４を螺合することができるので、基台１１に側壁２２を固定し易くなり、基台１１に側壁２２を取り付ける作用性を大幅に向上させることができるようになる。
【００４２】
また、基台１１の下側に設けられた係合部１８は、下方に向けて拡開しながら突出する係合部材２０と、この係合部材２０と基台１１間に位置するスペーサ１９とから構成している。そして、スペーサ１９を金属パイプにて構成しているので、係合部材２０と基台１１との間にスペーサ１９を溶接固定するだけで、係合部１８の座屈強度を大幅に向上させることが可能となる。これにより、従来のように複雑な形状の係合部材２０を基台１１に溶接固定しなくても係合部材２０が座屈変形してしまうのを防止することが可能となる。
【００４３】
また、基台１１及び側壁２２は金属の板材にて構成し、基台１１及び側壁２２に所定の間隔で略平行にハット型大補強部材１５、ハット型小補強部材２４を複数設け、各ハット型大補強部材１５、ハット型小補強部材２４は、基台１１或いは側壁２２を構成する板材と同等の板材をハット型に屈曲して形成している。そして、各ハット型大補強部材１５、ハット型小補強部材２４の略中央部に直交する向きのハット型補助部材１６、ハット型補助部材２５を設けているので、側壁２２の縦横方向の強度アップを図ることができるようになる。
【００４４】
これにより、側壁２２の変形を防止することができるので、側壁２２のパネル２３Ａを薄くすることが可能となる。従って、側壁２２のパネル２３Ａを薄くした場合でも棚装置１０内に収納した部品によって、側壁２２の中央部分が変形し膨らんだり、破損してしまうのを確実に防止することが可能となる。特に、側壁２２には複数のハット型小補強部材２４に略中央部に直交する向きのハット型補助部材２５を設けているので、棚装置１０を大幅に強度アップすることができるようになる。従って、生鮮食料品などの物品を収納した従来の棚装置は変形してしまうため二段しか積み重ねできなかったが、本発明の棚装置１０は変形しないので４段重ねすることも可能である。
【００４５】
また、側壁２２は基台１１上に積層可能な寸法であると共に、積層した側壁２２の周縁部２６に基台１１の係合部１８を係合可能としている。また、側壁２２の四隅に基台１１の係合部１８を位置決めする位置決め片２７を設けている。そして、棚装置１０を分解して積み重ね輸送する場合、基台１１を側壁２２上の所定位置で前後左右に動かないように固定することが可能となる。これにより、複数の棚装置１０を分解し積層して輸送する場合などでも、分解した棚装置１０を略垂直に積み重ねることができるようになるので、複数積層した棚装置１０が崩れてしまうのを防止することができるようになる。
【００４６】
特に、棚装置１０は接合部材３０によって容易に分解組立することができるので、棚装置１０を通い箱として使用する場合、棚装置１０を組み立てて内部に生鮮食料品などを収納して輸送した後、棚装置１０を分解し小さくして返却輸送することができるようになる。この場合、計算上では２０フィート（２０トン）のコンテナに組み立てた棚装置１０は２４台収納して輸送でき、分解した棚装置１０は少スペースにすることができるので、４０フィート（２０トン）のコンテナに２４０台収納して返却輸送することができる。これにより、棚装置１０の返送費用を大幅に削減することが可能となる。尚、このようなコンテナで大量に棚装置を輸送できるものは他に類を見ない。
【００４７】
また、基台１１を一枚の底壁１２で形成してるので、ポリエチレン袋、或いは、ビニール袋などに入れた魚介類、果実或いは野菜などの生鮮食料品を直接棚装置１０内に収納しても、パネルの接続部で袋が切れ、袋内から生鮮食料品が出てしまうなどの不都合を確実に防止することができるようになる。
【００４８】
尚、実施形態では、基台１１の縦壁１３に、底壁１２に平行に係合溝１４Ａを設けると共に、前後側壁２３の左右に設けられた両縁部２６にパネル２３Ａに平行に係合溝２８Ａを設けたがこれに限らず、両係合溝１４Ａ、２８Ａを係合溝１４Ａ、２８Ａの奥に行くに従って底壁１２、２３Ａ側に近接するように傾斜させて、ボルト３３のナット３４が緩んでしまった場合、接合部材３０が各係合溝１４Ａ、２８Ａより外れ難くして棚装置１０が分解しないようにしても本発明は有効である。
【００４９】
また、係合溝２８Ａを前後側壁２３に設け、接合部材３０を左右側壁２９に設けたがこれに限らず、係合溝２８Ａ及び接合部材３０は前後側壁２３或いは左右側壁２９のどちらかに設け、前後側壁２３と左右側壁２９とが接合できるようにしても差し支えない。
【００５０】
また、係合溝２８Ａを前後側壁２３の上端近傍に設け、接合部材３０を前後側壁２３に設けた係合溝２８Ａに対応した左右側壁２９に設けたがこれに限らず、係合溝２８Ａを前後側壁２３の上端近傍と下端近傍、或いは、上端近傍と下端近傍とその間に設け、接合部材３０を前後側壁２３に設けた係合溝２８Ａに対応した位置の左右側壁２９に設けても差し支えない。
【００５１】
また、係合溝１４Ａとこの係合溝１４Ａに係合する接合部材３０を側壁２２の左右方向中央よりずれた位置（この場合、側壁２２の中央に設けたハット型小補強部材２４とその隣に設けたハット型小補強部材２４との間）に設けたが、これに限らず、ハット型小補強部材２４を側壁２２の左右方向を略５等分する間隔で４箇所設け、係合溝１４Ａとこの係合溝１４Ａに係合する接合部材３０を側壁２２の左右方向中央部分に設けても差し支えない。
【００５２】
【発明の効果】
以上詳述した如く本発明によれば、基台と、該基台上の周囲に立設される複数の側壁とを備え、基台と側壁、及び、隣接する各側壁は相互に接合部にてそれぞれ着脱可能に接合されると共に、各接合部は、相互に接合される基台と側壁又は隣接する各側壁のうちの一方に設けられた係合溝と、他方に設けられた回動軸に回動自在に保持された接合部材とから構成され、係合溝は略クランク形状を呈すると共に、回動軸には、接合部材を係合溝の奥方向に付勢するための付勢部材を設けたので、常時接合部材を係合溝の奥方向に付勢しておくことが可能となる。これにより、接合部材が例えば確実に固定されなかった場合などでも、接合部材が緩んで係合溝から接合部材が外れてしまう不都合を未然に阻止することができる。従って、基台より側壁が外れてしまうのを確実に阻止することができ、棚装置の利便性を大幅に向上させることができる。
【００５３】
特に、係合溝は略クランク形状を呈しているので、棚装置の側面から接合部材を係合溝に係合させることが可能となる。これにより、例えば、基台の下側、或いは、側壁に接近して接合部材を接合させなくても良いので、基台に側壁を固定し易くなる。従って、棚装置の組み立て分解作業効率を大幅に向上させるとができるようになるものである。
【００５４】
また、請求項２の発明によれば、上記に加えて、側壁は基台上に積層可能な寸法であると共に、積層した側壁の周縁部に基台の係合部を係合可能とし、側壁の四隅に基台の係合部を位置決めする位置決め片を設けたので、例えば棚装置を分解し積み重ねて輸送する場合、基台を側壁上の所定位置で前後左右に動かないように固定するすることが可能となる。これにより、複数の棚装置を分解し積層して輸送する場合などでも、棚装置を略垂直に積み重ねることができるようになる。従って、複数積層した棚装置が崩れてしまう不都合を未然に防止することができ、棚装置の運搬性を大幅に向上することができるようになるものである。
【図面の簡単な説明】
【図１】  段重ねした本発明の棚装置の側面図である。
【図２】  本発明の棚装置を構成する基台の斜視図である。
【図３】  同図２の基台の上面図である。
【図４】  基台の下方に向けて突出させた係合部を側壁上端に係合させた状態を示す図である。
【図５】  分解した棚装置を複数段重ねた状態を示す図である。
【図６】  前後側壁の正面図である。
【図７】  左右側壁の正面図である。
【図８】  接合部を構成する係合溝が設けられた前後側壁の一部斜視図である。
【図９】  接合部を構成する接合部材が設けられた左右壁の一部斜視図である。
【図１０】  前後側壁と左右側壁との接合した状態を示す斜視図である。
【図１１】  基台に側壁を接合した状態を示す斜視図である。
【図１２】  ハット型大補強部材の斜視図である。
【符号の説明】
１０  棚装置
１１  基台
１２  底壁
１３  縦壁
１４  係合板
１４Ａ  係合溝
１５  ハット型大補強部材
１６  ハット型補助部材
１８  係合部
１９  スペーサ
２０  係合部材
２２  側壁
２３  前後側壁
２４  ハット型小補強部材
２５  ハット型補助部材
２６  縁部
２７  位置決め片
２８  係合溝
２９  左右側壁
３０  接合部材
３１  保持部材
３２  回動軸
３３  ボルト
３５  付勢部材
【図１】
0003701189.tif 000002
【図２】
0003701189.tif 000003
【図３】
0003701189.tif 000004
【図４】
0003701189.tif 000005
【図５】
0003701189.tif 000006
【図６】
0003701189.tif 000007
【図７】
0003701189.tif 000008
【図８】
0003701189.tif 000009
【図９】
0003701189.tif 000010
【図１０】
0003701189.tif 000011
【図１１】
0003701189.tif 000012
【図１２】
0003701189.tif 000013